(57)【特許請求の範囲】
【請求項１】
粘性体を収納し、外部からの振動を受けるケースと、一端に振動保護部を固定し、他端に減衰板を固定したスタッドと、中心部にこのスタッドを固定し、周辺部が上記ケースに固定したゴムの弾性体とを備え、上記減衰板を粘性体中に設けた液体封入式マウントにおいて、
上記ゴムの弾性体の下面周縁部が上記減衰板のストッパとして作用し、上記減衰板は、上記ゴムの弾性体より硬い部材により形成され、その上面側の表面積を下面側の表面積より大きく構成し、減衰板が下方へ移動するときに、粘性体の上方側への移動を容易にしたことを特徴とする液体封入式マウント。
【発明の詳細な説明】
【０００１】
【産業上の利用分野】
本発明は、パワーシャベルなどの建設機械のキャブを車体上に保持する防振用の液体封入式マウントに関し、特に、大増幅時でも減衰性を保持することができる液体封入式マウントに関するものである。
【０００２】
【従来の技術】
現在、建設機械のキャブは、快適な居住性と操作性、更に、人に優しく柔らかな丸みのあるデザインまでも要求されている。また、建設機械の走行速度のスピードアップにより、キャブの振動を改善するため、ゴムマウントに換わり、より高性能なキャブマウントが必要になっている。
【０００３】
図３は、従来の液体封入式マウントを示す断面図であり、図４は、図３の平面図である。図において、１は、ケースであり、このケース１は、図５に示すように、カップ部１Ａと、取付け穴１Ｂおよび固定用爪１Ｃを持った取付け板１Ｄとから構成される。２は、スタッドであり、このスタッド２は、その詳細な断面図および平面図を図６（Ａ）、図６（Ｂ）に示すように、軸方向には粘性液３を注入するための貫通穴２Ａおよびネジ穴２Ｂが設けられている。
【０００４】
４は、減衰板であり、この減衰板４は、図３および図６に示すように、中心部に透穴４Ａが設けられ、断面の形状が矩形の円盤である。そして、この減衰板４の透穴４Ａに、上記スタッド２の一端が挿入され、かしめなどの手段により一体に固定する。５は、筒状ケースであり、この筒状ケース５は、その詳細な斜視図を図７に示すように、円筒部５Ａと、取付け穴５Ｂを持った取付け板５Ｃとから構成される。
【０００５】
６は、ゴムなどの弾性体であり、この弾性体６は、図３および図８に示すように、上記筒状ケース５を包み込んで形成される。この弾性体６の下面には、凹み６Ａが形成され、粘性液３の流れを複雑にする。７は、植込みボルトであり、この植込みボルト７の一端には、ねじ７Ａが切られており、このねじ７Ａを用いて図示せぬキャブが固定される。また、この植込みボルト７の他端には、ねじ７Ｂが切られており、このねじ７Ｂは、スタッド２のねじ穴２Ｂにネジ止めされる。
【０００６】
８は、回り止めピンであり、この回り止めピン８は、上記スタッド２の上側に取り付けられている。
なお、上記弾性体６の上面周縁部は、キャブのストッパとして作用し、下面周縁部が減衰板４のストッパとして作用する。
【０００７】
次に、上記構成の液体封入式マウントの組み立て動作について説明する。まず、スタッド２と筒状ケース５を包み込んで弾性体６を形成すると共に、焼付接着などの手段により固定する。そして、このスタッド２の他端に減衰板４をかしめなどの手段により固定し、図８に示すように一体化する。このように一体化したスタッド２、減衰板４、筒状ケース５、および弾性体６を、ケース１のカップ部１Ａに挿入し、弾性体６のテーパー状の外側側面がカップ部１Ａの内側側面に密着する。
【０００８】
そして、ケース１の固定用爪１Ｃを、筒状ケース５の取付け板５Ｃの側面を包み込むようにして折り曲げて、かしめることにより、ケース１と筒状ケース５とを一体に固定することができる。このとき、弾性体６のテーパー状の外周部６Ｂの上端６Ｂ１（共に、図８を参照）は、筒状ケース５の曲面状の折り曲げ部とケース１のカップ部１Ａの曲面状の折り曲げ部との間に挟まれて圧縮されて、密着する。さらに、この弾性体６のテーパー状の外周部６Ｂの上端６Ｂ１（共に、図８を参照）部に、例えば、２個のシール用リップを形成することにより、この密着性を上げ、液漏れを完全に防止することができる。
【０００９】
そして、スタッド２の中心に設けられた透穴２Ａから粘性液３を注入する。そして、スタッド２のネジ穴２Ｂに植込みボルト７をネジ止めして、粘性液３を封入することができる。そして、この植込みボルト７の他端に、図示せぬキャブを取り付ける。
【００１０】
なお、ケース１の取付け板１Ｄの取付け穴１Ｂと筒状ケース５の取付け板５Ｃの取付け穴５Ｂとが一致するため、図示せぬボルトとナットによって、図示せぬ車体に共締めにより、取り付けることができる。このため、ケース１と筒状ケース５とは、固定用爪１Ｃを含めて、強固に結合することができる。しかも、ケース１の取付け板１Ｄと筒状ケース５の取付け板５Ｃとが一体になるため、強度を向上することができる。
【００１１】
次に、上記構成の液体封入式マウントの緩衝動作について説明する。まず、図示せぬ建設機械の運転により、図示せぬ車体に振動が加わると、この振動は、ケース１に伝わる。このため、このケース１が振動により動くため、粘性液３がかきまわされる。このとき、粘性液３の粘性抵抗と減衰板４により、緩衝作用が働き、振動が減衰し、キャブに伝わる振動を少なくすることができる。なお、キャブの荷重は、弾性体６で受けることができる。
【００１２】
【発明が解決しようとする課題】
しかしながら、従来の液体封入式マウントは、大振幅時において、減衰板が上下方向に大きく振動する。このため、減衰板の上面側は、空気と粘性液とが混じり合った状態で接していると共に、ゴムの弾性体があり液圧を吸収することができる一方、減衰板の下面側は、粘性液の中である。このため、大振幅連続加振時は、減衰板の上面側の圧力に比べて、減衰板の下面側の圧力が高くなり、減衰板が圧力の低い方へ移動し、粘性体に十分にひたされず、減衰機能が低下するなどの問題点があった。
【００１３】
本発明の目的は、大振幅連続加振時でも減衰性を保持することができる液体封入式マウントを提供するものである。
【００１４】
【課題を解決するための手段】
本発明に係る液体封入式マウントは、粘性体を収納し、外部からの振動を受けるケースと、一端に振動保護部を固定し、他端に減衰板を固定したスタッドと、中心部にこのスタッドを固定し、周辺部が上記ケースに固定した弾性体とを備え、上記減衰板を粘性体中に設けた液体封入式マウントにおいて、上記弾性体の下面周縁部が上記減衰板のストッパとして作用し、上記減衰板は、上記弾性体より硬い部材により形成され、その上面側の表面積を下面側の表面積より大きく構成し、減衰板が下方へ移動するときに、粘性体の上方側への移動を容易にしたものである。
【００１５】
【実施例】
図１は本発明に係る液体封入式マウントの一実施例を示す断面図である。図において、１０は、減衰板であり、この減衰板１０は、スタッド２の下方端にかしめなどの手段によって固定される。そして、この減衰板１０は、その上面側の表面積を下面側の表面積より大きく構成するものであり、この実施例では、その側面にテーパーを形成して、実現するものである。
なお、１２は、ワン型プラグであり、このワン型プラグ１２は、スタッド２の貫通穴２Ａ内に取り付けて、シール性を高めることができる。
【００１６】
次に、上記構成の液体封入式マウントの緩衝動作については、図３で説明したように動作することはもちろんであるが、大振幅連続加振時においてもその減衰性を有効に保持することができる。このことについて、更に説明すると、減衰板１０が上方から下方への移動時には、減衰板１０の側面に形成したテーパーにより、粘性体３は、スムーズに上面側に移行するが、減衰板１０が下方から上方への移動時には、粘性体３を一緒に捕らえて上昇するために、上下液室の圧力が均一となり、減衰板１０は、常に粘性体３中にあり、その減衰性を有効に保持することができる。
【００１７】
図２は本発明に係る液体封入式マウントの他の実施例を示す断面図である。図において、１１は、減衰板であり、この減衰板１１は、その上面側の表面積を下面側の表面積より大きく構成するものであり、この実施例では、その側面に段差を設けて実現したものである。
【００１８】
なお、上記構成の液体封入式マウントの緩衝動作については、図３で説明したように動作することはもちろんであり、しかも、大振幅連続加振時の減衰性については、図１と同様に動作することはもちろんである。
なお、この段差付き減衰板１１は、径の異なるものを張り合わせて構成してもよいことは、もちろんである。
【００１９】
【発明の効果】
以上、詳細に説明したように、本発明に係る液体封入式マウントによれば、減衰板の側面の形状を変更するのみで、大振幅時の減衰性を有効に保持することができるなどの効果がある。
【図面の簡単な説明】
【図１】本発明に係る液体封入式マウントの一実施例を示す断面図である。
【図２】本発明に係る液体封入式マウントの他の実施例を示す断面図である。
【図３】従来の液体封入式マウントを示す断面図である。
【図４】図３の平面図である。
【図５】図３のケースを示す斜視図である。
【図６】図３のスタッドと減衰板を示す斜視図である。
【図７】図３の筒状ケースを示す斜視図である。
【図８】図３の減衰板を取り付けたスタッドと筒状ケースとを一体にした弾性体の断面図である。
【符号の説明】
１０，１１    減衰板
１２    ワン型プラグ
【図１】
0003765089.tif 000002
【図２】
0003765089.tif 000003
【図３】
0003765089.tif 000004
【図４】
0003765089.tif 000005
【図５】
0003765089.tif 000006
【図６】
0003765089.tif 000007
【図７】
0003765089.tif 000008
【図８】
0003765089.tif 000009